(57)【要約】      （修正有）【課題】記録装置全体の電源を投入することなく、ホスト装置から読み書き部を即座に利用し、記録部の無駄な初期化を実行させずにすむので、電力およびインクの消費、初期化動作にかかる時間を節約する。【解決手段】メモリカードを電気的に接続するカードスロット１６０、および、メモリカードに対する情報の読み書きを制御する駆動回路３１２を有して、メモリカードに対する情報の読み書き動作をする読み書き部３１０と、記録用紙に対してインクを吐出する記録ヘッドを有して、読み書き部および外部に接続された情報処理装置３０２の少なくとも一方から獲得した情報に基づいて記録用紙に画像を記録する記録部と、読み書き部および記録部に電力を供給する電源部３３０とを備えたインクジェット式記録装置１００であって、記録部が電源部から遮断された状態においても、読み書き部が情報処理装置からの指示に基づいて動作する。【選択図】図５
2008030318.tif 000002
【特許請求の範囲】
【請求項１】
記憶媒体を保持しつつ電気的接続を形成する保持部を有して、前記保持部に挿入された前記記憶媒体に対して情報を読み書きする読み書き動作をする読み書き部と、
被記録物に対してインクを吐出する記録ヘッドを有して、前記読み書き部および外部に接続されたホスト機器の少なくとも一方から獲得した情報に基づいて前記被記録物に画像を記録する記録動作をする記録部と、
前記読み書き部および前記記録部に対して電力を供給する電源部と
を備えた記録装置であって、
前記記録部が前記電源部から遮断された状態においても、前記読み書き部が前記ホスト機器からの指示に基づいて読み書き動作をする記録装置。
【請求項２】
前記保持部がフラッシュメモリ素子を実装された前記記憶媒体に対応したカードスロットであり、前記駆動部の制御の下に前記読み書き部が前記フラッシュメモリ素子に対する情報の読み書きを実行する請求項１に記載の記録装置。
【請求項３】
前記記録部が電源に接続されて前記記録動作を実行する状態にある場合に、前記読み書き部が、前記記録部および前記ホスト機器の双方から前記記憶媒体に対して前記情報を読み書きさせる請求項１に記載の記録装置。
【請求項４】
前記読み書き部および前記記録部が、前記電源部に対して前記読み書き部および前記記録部を個別に接続または遮断する電源スイッチを各々備える請求項１に記載の記録装置。
【請求項５】
前記読み書き部が、前記保持部に前記記憶媒体が装入された場合に前記駆動部を前記電源部に接続する電源スイッチを備える請求項４に記載の記録装置。
【請求項６】
前記電源部が、操作方法に応じて、前記記録部もしくは前記読み書き部またはその両方を電源に接続する電源スイッチを更に備える請求項１に記載の記録装置。
【請求項７】
前記読み書き部が前記読み書き動作を実行している場合に、前記記録部がそのバックグラウンドで初期化動作を実行する請求項１に記載の記録装置。
【請求項８】
前記読み書き部が前記電源部から遮断された場合に、前記読み書き部を前記ホスト機器から供給される電源に接続する電源切替手段を有する請求項１に記載の記録装置。
【請求項９】
記憶媒体を保持しつつ電気的接続を形成する保持部を有して、前記保持部に挿入された前記記憶媒体に対して情報を読み書きする読み書き動作をする読み書き部と、
被記録物に対して液体を噴射する液体噴射ヘッドを有して、前記読み書き部および外部に接続されたホスト機器の少なくとも一方から取得した情報に基づいて前記被記録物に画像を形成する記録動作を実行する記録部と、
前記読み書き部および前記記録部に対して電力を供給する電源部と
を備えた液体噴射装置であって、
前記記録部が前記電源部から遮断された状態においても、前記読み書き部が前記ホスト機器からの指示に基づいて読み書き動作をする液体噴射装置。
【発明の詳細な説明】
【技術分野】
【０００１】
本発明は、記録装置および液体噴射装置に関する。より詳細には、記録媒体に対して情報を読み書きする読み書き部と、被記録物に対してインクまたは液体を吐出または噴射して画像を記録する記録部または液体噴射部とを備えた記録装置および液体噴射装置に関する。
【背景技術】
【０００２】
インクジェット式記録装置等の多くの記録装置は、パーソナルコンピュータ等の情報処理装置をホスト装置として、ホスト装置から供給された情報に基づいて記録動作を実行する。これに対して、記憶媒体を読み書きする読み書き部を記録装置自体が備え、読み書き部に装入された記憶媒体に格納された情報に基づいて、スタンドアローンでも記録動作を実行する記録装置がある。
【０００３】
特許文献１には、記録媒体の読み書き手段として、メモリカードおよびＣＤ−ＲＯＭの駆動装置を備えた印刷装置が記載される。また、特許文献２には、メモリカードのリーダライタを備えたインクジェット式プリンタが記載される。
【０００４】
特許文献１に記載された印刷装置は、インクジェット式プリンタの正面に一対のカードスロットとＣＤ−ＲＯＭドライブとを備え、メモリカードおよびＣＤ−ＲＯＭに格納された画像データを、ホスト装置を介することなく印刷できる。また、例えばＣＤ−ＲＯＭにテンプレート情報とメモリカードに格納された画像データとを併せて一定の処理をした結果を印刷することもできる。
【０００５】
特許文献２には、プリンタに装備されたリーダライタに挿入されるメモリカードに、画像情報の他に画像情報ファイルを管理するためのデータも格納して、ホスト装置を使用することなく、プリンタ単体で画像情報の選択およびグルーピングすることが記載される。
【０００６】
なお、この種のプリンタにおけるメモリカードのスロットあるいはリーダライタは、ホスト装置からも記憶媒体の駆動装置として利用できる場合がある。即ち、スロットあるいはリーダライタは、記録装置自体だけではなく、ホスト装置からもメモリカードへのアクセスに対するインターフェースとしても機能し得る。これにより、相互に接続されたプリンタおよびホスト装置を含むシステムを、ハードウェアリソースの重複を避けて合理的に構築できる。
【０００７】
【特許文献１】特開２００４−２６２０８２号公報
【特許文献２】特開２００６−１６３５００号公報
【発明の開示】
【発明が解決しようとする課題】
【０００８】
ところで、記憶媒体の読み書き部は、それ自体が動作に一定の電力を要する。即ち、フラッシュメモリ素子等を実装された記憶媒体は、その読み書きに一定のエネルギを要すると共に、読み出した情報あるいは書き込む情報の取り扱いに、クロック信号等の一定の制御信号を用いる。記録装置に内蔵された読み書き部は、記録装置の電源部から電力の供給を受けて動作しており、記録装置の電源が遮断された場合は使用できない。従って、電源の遮断された記録装置に内蔵された読み書き部をホスト装置から利用する場合には、まず、記録装置の電源スイッチを投入して、記録装置をアクティブにしてからでなければ読み書き部が利用できない。
【０００９】
一方、多くの記録装置は、その起動時に一定の初期化動作を実行する。初期化動作には、内部メモリの初期化等の電気的あるいは電子的な動作の他、インクノズルの洗浄、記録ヘッドの位置および移動量の較正等の機械的な動作が含まれる。このため、初期化動作には一定の時間がかかると共に、ノズル洗浄のためにインクも消費される。更に、動作音、振動等も顕著に生じるので、すでに読み書き部が使用できる状態にあっても、初期化動作が終了するまでユーザは読み書き部の使用を控えがちになる。このように、メモリカードのインターフェースとして記録装置を利用する場合にも、電源を投入すると記録部の初期化動作が実行されるのでインクと電力が消費され、更に、初期化動作の終了まで読み書き部の使用を待たなければならないという問題があった。
【課題を解決するための手段】
【００１０】
上記課題を解決する目的で、本発明の第１の形態として、記憶媒体を保持しつつ電気的接続を形成する保持部を有して、保持部に挿入された記憶媒体に対して情報を読み書きする読み書き動作をする読み書き部と、被記録物に対してインクを吐出する記録ヘッドを有して、読み書き部および外部に接続されたホスト機器の少なくとも一方から獲得した情報に基づいて被記録物に画像を記録する記録動作をする記録部と、読み書き部および記録部に対して電力を供給する電源部とを備えた記録装置であって、記録部が電源部から遮断された状態においても、読み書き部がホスト機器からの指示に基づいて読み書き動作をする記録装置が提供される。これにより、記録装置全体の電源を投入することなく、ホスト装置から読み書き部を即座に利用できる。また、記録部の無駄な初期化を実行させずにすむので、初期化のための電力およびインクの消費、初期化動作にかかる時間を節約できる。
【００１１】
また、ひとつの実施形態によると、上記記録装置において、保持部がフラッシュメモリ素子を実装された記憶媒体に対応したカードスロットであり、駆動部の制御の下に読み書き部がフラッシュメモリ素子に対する情報の読み書きを実行してもよい。これにより、ハードウェアリソースを追加することなく、広く普及した記憶媒体をホスト装置から利用できる。
【００１２】
更に、他の実施形態のよると、上記記録装置において、記録部が電源に接続されて記録動作を実行する状態にある場合に、読み書き部が、記録部およびホスト機器の双方から記憶媒体に対して情報を読み書きさせることができる。これにより、読み書き部というひとつのハードウェアリソースを、記録装置およびホスト装置の双方から利用できる。
【００１３】
また他の実施形態によると、上記記録装置において、読み書き部および記録部が、電源部に対して読み書き部および記録部を個別に接続または遮断する電源スイッチを各々備えていてもよい。これにより、電力、インク消費および時間の経過を伴う記録部の初期化を実行することなく、読み書き部を利用できる。
【００１４】
また他の実施形態によると、上記記録装置において、読み書き部が、インターフェース部に記憶媒体が装入された場合に駆動部を電源部に接続する電源スイッチを備えてもよい。これにより、ユーザは個別の電源スイッチを意識することなく、読み書き部を即座に利用できる。
【００１５】
また他の実施形態によると、上記記録装置において、電源部が、操作方法に応じて、記録部若しくは読み書き部またはその両方を電源に接続する電源スイッチを更に備えてもよい。これにより、読み書き部および記録部のうちの使用する部分を単一の電源スイッチで有効にして使用できる。
【００１６】
また他の実施形態によると、上記記録装置において、読み書き部が読み書き動作を実行している場合に、記録部がそのバックグラウンドで初期化動作を実行してもよい。これにより、読み書き部を即座に利用できる一方で、記録部の初期化動作に要する時間を節約できる。
【００１７】
また他の実施形態によると、上記記録装置において、読み書き部が電源部から遮断された場合に、読み書き部をホスト機器から供給される電源に接続する電源切替手段を有してもよい。これにより、記録装置の電源スイッチが遮断されている場合でも、ホスト装置が起動していれば読み書き部を利用できるので、記録装置の電源を投入して無駄な初期化動作を実行させることがない。また、ユーザに特別な操作を求めないので、ユーザの知識に関わりなく上記利点を享受できる。
【００１８】
更に、本発明の第２の形態として、記憶媒体を保持しつつ電気的接続を形成する保持部を有して、保持部に挿入された記憶媒体に対して情報の読み書き動作をする読み書き部と、被記録物に対して液体を噴射する液体噴射ヘッドを有して、読み書き部および外部に接続されたホスト機器の少なくとも一方から取得した情報に基づいて被記録物に画像を形成する記録動作を実行する記録部と、読み書き部および記録部に対して電力を供給する電源部とを備えた液体噴射装置であって、記録部が電源部から遮断された状態においても、読み書き部がホスト機器からの指示に基づいて読み書き動作をする液体噴射装置が提供される。これにより、液体噴射装置においても、上記の効果のそれぞれを享受できる。
【００１９】
なお、上記の発明の概要は、本発明の必要な特徴の全てを列挙したものではなく、これらの特徴群のサブコンビネーションもまた、発明となりうる。
【発明を実施するための最良の形態】
【００２０】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２１】
図１は、メモリカードの読み書き部３１０を備えた記録装置の一例である、インクジェット式記録装置１００の外観を示す図である。同図に示すように、このインクジェット式記録装置１００は、下ケース１１２および上ケース１１４を含む筐体１１０と、筐体１１０の後方に形成された給送部１２０と、筐体１１０の前部に形成された排出部１３０とを備えている。また、筐体１１０の上面は、後述するように開閉できるカバー１１６により覆われている。
【００２２】
給送部１２０は、装入された記録用紙１４０を後方から支持するペーパサポート１２２と、記録用紙１４０に側方から当接して記録用紙１４０を位置決めするペーバーガイド１２４とを有する。この給送部１２０に、複数が積層して装入された記録用紙１４０は、筐体１１０の内部に装備された給送装置により１枚ずつ取り込まれ、画像を記録される。
【００２３】
また、筐体１１０の内部で画像を記録された記録用紙１４０は、やはり筐体１１０の内部に装備された搬送装置および排出装置により前方に搬送され、排出部１３０から筐体１１０の外部に送りだされる。筐体１１０の前面において、排出部１３０の直前には、筐体１１０の一部を兼ねる排出トレイ１３２が装備され、排出された記録用紙１４０を水平に支持する。更に、排出トレイ１３２は、その先端に延長部１３４を備え、筐体１１０の高さと同程度の長さの排出トレイ１３２では支えきれない長さの記録用紙１４０を支持できる。
【００２４】
更に、このインクジェット式記録装置１００は、筐体１１０の前面の上部に、操作パネル１１８を備える。操作パネル１１８には、複数の押しボタン型のスイッチ、ＬＥＤによるパイロットランプ、ＬＣＤパネルによる表示部等が設けられ、このインクジェット式記録装置１００を単体で操作する場合の操作部となる。
【００２５】
また更に、操作パネル１１８の側方には、ＵＳＢソケット１５０が装備されている。ただし、このＵＳＢソケット１５０は、このインクジェット式記録装置１００をパーソナルコンピュータ等のホスト装置に接続する場合に使用するソケットではなく、デジタルカメラ等の外部機器から情報を転送する場合に専ら使用される。
【００２６】
図２は、上記インクジェット式記録装置１００のカバー１１６を開いた状態を示す斜視図である。同図に示すように、図１ではカバー１１６に隠れていた領域には、操作パネル１１８の手前側にカードスロット１６０が、操作パネル１１８の後方にはサービスホール１１５がそれぞれ配置される。また、操作パネル１１８の向こう側には、後述するキャリッジ１７０と、キャリッジ１７０に装荷されたインクカートリッジ１７２の一部が見える。
【００２７】
従って、このインクジェット式記録装置１００においては、カバー１１６を開くことにより、カードスロット１６０に対してメモリカードを挿抜できる。また、サービスホール１１５を介して、紙詰まり等により筐体１１０の内部に残された記録用紙１４０を取り除くことができる。更に、キャリッジ１７０に対してインクカートリッジ１７２を交換できる。なお、このカードスロット１６０に挿入されるメモリカード５００は、例えばフラッシュメモリ素子と、それにアクセスするための端子とを備えた薄板状のもので、デジタルカメラ、デジタルレコーダおよびプレーヤ等において、記録媒体として広く使用される。また、デジタル情報を携帯する場合の媒体、ユーザ認証のための個人情報の媒体等としても使用される。
【００２８】
図３は、図１および図２に示したインクジェット式記録装置１００の内部機構２００を示す斜視図である。なお、図３において、図１および図２と共通の部材には同じ参照番号を付した。
【００２９】
同図に示すように、内部機構２００は、金属製のフレーム２１０に後述する各部材を組み付けて形成される。即ち、フレーム２１０の後部には、給送部１２０が形成される。給送部１２０の前方には搬送従動ローラ２２２を含む搬送部２２０が形成され、更にその前方にはプラテン２３０が配置される。また更に、プラテン２３０の前方には、排出従動ローラ２４２を含む排出部１３０が形成される。一方、プラテン２３０の上方にはキャリッジ１７０が配置される。
【００３０】
給送部１２０においては、図１および図２においても一部が現れていたペーパサポート１２２とペーパガイド１２４が配置され、記録用紙１４０が装入される。給送部１２０の下方には、ペーパサポート１２２に装入された記録用紙１４０を１枚ずつ取り込む給送装置が配置される（不図示）。
【００３１】
給送部１２０により取り込まれた記録用紙１４０は、搬送部２２０において、搬送従動ローラ２２２の下方に配置されて回転駆動される搬送駆動ローラ（不図示）に対して搬送従動ローラ２２２により押し付けられ、その回転に従って、前方のプラテン２３０上に送り込まれる。
【００３２】
プラテン２３０は、複数の突起２３２を備え、送り込まれた記録用紙１４０を下方から支持して、後述する記録ヘッド１７４に対して所定の間隔を維持する。更に、プラテン２３０上を通りすぎた記録用紙１４０は、やがて排出部１３０に到達する。このように、このインクジェット式記録装置１００では、記録用紙１４０が、後方の給送部１２０から、搬送部２２０および排出部２４０を経て前方に向かう搬送方向に搬送される。
【００３３】
排出部１３０において、記録用紙１４０は、排出部フレーム２４４に支持された排出従動ローラ２４２と、その下方に配置された排出駆動ローラ（不図示）との間に挟まれる。排出駆動ローラは回転駆動されており、記録用紙１４０は排出駆動ローラの回転に従って前方に搬送されて、インクジェット式記録装置１００の外部に向かって排出される。
【００３４】
一方、キャリッジ１７０は、フレーム２１０の一部を折り返して形成されたガイド部２１２に沿って、記録用紙１４０の搬送方向と直交する方向に移動できる。また、キャリッジ１７０は、その後方において一対のプーリ１７６に張りわたされたタイミングベルト１７８に結合される。プーリ１７６の少なくとも一方は回転駆動されるので、タイミングベルト１７８を介して、キャリッジ１７０をプラテン２３０上の任意の位置に移動させることができる。更に、キャリッジ１７０は、その上部にインクカートリッジ１７２に搭載すると共に、下面に記録ヘッド１７４を備える。従って、上記のようにプラテン２３０上を往復移動しながら、インクカートリッジ１７２から供給されたインクを、プラテン２３０上の記録用紙１４０に向かって吐出できる。
【００３５】
以上のような内部機構２００を備えたインクジェット式記録装置１００では、給送部１２０、搬送部２２０および排出部１３０による記録用紙１４０の搬送と、タイミングベルト１７８を介したキャリッジ１７０の往復移動とを組み合わせることにより、記録用紙１４０上の任意の領域にインクを付着させて画像を形成できる。このような動作は、内部機構２００のフレーム２１０の背面に装着された制御部２５０の制御の下に実行される。
【００３６】
図４は、上記のようなインクジェット式記録装置１００と、それに接続された情報処理装置３０２との間に形成される情報系３００の一例を模式的に示すブロック図である。同図に示すように、情報の送受信に着目した場合、インクジェット式記録装置１００は、読み書き部３１０および記録部３２０を備え、読み書き部３１０および記録部３２０は、相互にいわば並列に、情報処理装置３０２に対して接続されている。記録部３２０においては、図３に示した内部機構２００が、制御部２５０を介して情報処理装置３０２に接続され、情報処理装置３０２から受けた情報に基づいて内部機構２００を制御して、記録動作が実行される。
【００３７】
一方、読み書き部３１０は、挿入されたメモリカード５００を物理的に保持すると共に電気的接続を形成するカードスロット１６０と、カードスロット１６０に挿入されたメモリカード５００に格納された情報を読み出す、あるいは、メモリカード５００に情報を書き込む読み書き動作をする駆動回路３１２を有する。従って、情報処理装置３０２からメモリカード５００に対する情報の読み出しおよび書き込みは、駆動回路３１２を介して実行される。なお、駆動回路３１２はその動作に電力を要するので、電力の供給が遮断されると読み書き動作はできない。
【００３８】
更に、インクジェット式記録装置１００の内部においては、操作パネル１１８を介したユーザの指示により、カードスロット１６０に挿入されたメモリカード５００に格納された情報に基づいて、制御部２５０が内部機構２００を制御して直接に画像を記録することもできる。
【００３９】
図５は、インクジェット式記録装置１００と、それに接続された情報処理装置３０２により形成される、読み書き部３１０に対する電源系３５０の構造の一例を模式的に示すブロック図である。同図に示すように、この電源系３５０は、インクジェット式記録装置１００に実装された電源部３３０から後述する電源切替回路４００に接続されたひとつの系統と、情報処理装置３０２から電源切替回路４００にいたるもうひとつの系統とを含む。電源切替回路４００は、後述する論理に従って、電源部３３０または情報処理装置３０２のいずれかから供給される電力を、読み書き部３１０に選択的に接続する。
【００４０】
なお、電源部３３０は、外部の交流電源３３１に対して電源スイッチ３３２を介して接続されたＡＣ／ＤＣコンバータ３３４と、ＡＣ／ＤＣコンバータ３３４の出力する直流電圧を用途に応じて適切に変換するＤＣ／ＤＣコンバータ３３６とを備えている。電源スイッチ３３２が投入されている場合は、ＤＣ／ＤＣコンバータ３３６は直流電圧を読み書き部３１０のために発生して電源切替回路４００に提供する。一方、動作状態にある情報処理装置３０２からは、例えば、ＵＳＢインターフェースを介して例えば５Ｖの直流電圧が電源切替回路４００に常時提供される。なお、ＤＣ／ＤＣコンバータ３３６は、インクジェット式記録装置１００の他の構成要素、例えばＳＯＣ３３８等のための電力も供給する。
【００４１】
図６は、電源系３５０に含まれる電源切替回路４００の具体的な構造と、その接続を示す回路図である。同図に示すように、この電源切替回路４００は、スイッチＳＷ１を介して情報処理装置３０２からの入力電圧Ｖｉｎ１を駆動回路３１２に接続する回路と、スイッチＳＷ２を介してＤＣ／ＤＣコンバータ３３６の入力電圧Ｖｉｎ２を駆動回路３１２に接続する回路とを備える。スイッチＳＷ１はその制御端子に比較器Ｃ１の出力を受け、制御端子に印加される電圧に応じて開閉する。スイッチＳＷ２も同様に、その制御端子に比較器Ｃ２の出力を受けて、印加される電圧に応じて開閉する。
【００４２】
また、この電源切替回路４００は、抵抗Ｒ１およびダイオードＤ１を介した入力電圧Ｖｉｎ１と、抵抗Ｒ２およびダイオードＤ２を介した入力電圧Ｖｉｎ２とを受けて参照電圧Ｖｒｅｆを発生するツェナーダイオードＤｒｅｆを備える。比較器Ｃ１は、この参照電圧Ｖｒｅｆと入力電圧Ｖｉｎ１とを入力されて比較する。また、比較器Ｃ２は、参照電圧Ｖｒｅｆ、入力電圧Ｖｉｎ１および入力電圧Ｖｉｎ２を入力されて比較する。
【００４３】
上記のように形成された電源切替回路４００において、ツェナーダイオードＤｒｅｆは、入力電圧Ｖｉｎ１および入力電圧Ｖｉｎ２がいずれも印加された場合に最も高い参照電圧Ｖｒｅｆを出力する。また、入力電圧Ｖｉｎ１および入力電圧Ｖｉｎ２が共に遮断されている場合は、参照電圧Ｖｒｅｆも発生しない。更に、入力電圧Ｖｉｎ１および入力電圧Ｖｉｎ２のいずれか一方が印加された場合は、その入力電圧に応じた参照電圧Ｖｒｅｆを発生する。
【００４４】
図７は、上記のような電源切替回路４００における比較器Ｃ１の動作と、比較器Ｃ１によるスイッチＳＷ１の制御を説明する流れ図Ｆ１００である。同図に示すように、この比較器Ｃ１は、ステップＳ１０２において、入力電圧Ｖｉｎ１および参照電圧Ｖｒｅｆを比較して、入力電圧Ｖｉｎ１の方が高い場合は、ステップＳ１０４において、制御端子に電圧を印加してスイッチＳＷ１をＯＮにする。これにより、図６に示した電源切替回路４００においては、情報処理装置３０２から入力された入力電圧Ｖｉｎ１が駆動回路３１２に接続される。一方、ステップＳ１０２において、入力電圧Ｖｉｎ１および参照電圧Ｖｒｅｆを比較して入力電圧Ｖｉｎ１の方が低い場合は、ステップＳ１０６において制御端子への電圧印加を止め、スイッチＳＷ１をＯＦＦにする。これにより、図６に示した電源切替回路４００においては、情報処理装置３０２は、駆動回路３１２から遮断される。
【００４５】
図８は、電源切替回路４００における比較器Ｃ２の動作と、比較器Ｃ１によるスイッチＳＷ２の制御を説明する流れ図Ｆ２００である。同図に示すように、この比較器Ｃ１は、ステップＳ２０２において、入力電圧Ｖｉｎ１および入力電圧ｉｎ２を参照電圧Ｖｒｅｆと比較して、入力電圧Ｖｉｎ１が参照電圧Ｖｒｅｆよりも低く、且つ、入力電圧Ｖｉｎ２が参照電圧Ｖｒｅｆよりも高い場合に、高い場合は、ステップＳ２０４において、制御端子に電圧を印加してスイッチＳＷ２をＯＮにする。これにより、図６に示した電源切替回路４００においては、ＤＣ／ＤＣコンバータ３３６から入力された入力電圧Ｖｉｎ２が駆動回路３１２に接続される。一方、ステップＳ２０２において前記条件が満たされない場合は、ステップＳ２０６においてスイッチＳＷ２をＯＦＦにする。これにより、図６に示した電源切替回路４００においては、ＤＣ／ＤＣコンバータ３３６が駆動回路３１２から遮断される。
【００４６】
上記のような、情報処理装置３０２およびＤＣ／ＤＣコンバータ３３６の稼働状態に応じた電源切替回路４００の動作を、下記の表１にまとめて示す。
【表１】
2008030318.tif 000003
【００４７】
表１に示すように、情報処理装置３０２が動作状態にある場合、インクジェット式記録装置１００の電源スイッチ３３２の断続の如何にかかわらず、スイッチＳＷ１が投入される。また、スイッチＳＷ２は遮断される。これにより、駆動回路３１２には情報処理装置３０２から供給される電力が供給される。従って、インクジェット式記録装置１００が電源３３１から遮断されている場合においても、情報処理装置３０２から読み書き部３１０を利用することができる。
【００４８】
一方、情報処理装置３０２がシャットダウンされ、インクジェット式記録装置１００の電源スイッチ３３２が投入されている場合は、スイッチＳＷ１が遮断され、スイッチＳＷ２が投入される。これにより、駆動回路３１２にはＤＣ／ＤＣコンバータ３３６からの電力が供給される。従って、インクジェット式記録装置１００の操作パネル１１８を介したユーザの指示により、カードスロット１６０に挿入されたメモリカード５００の内容を、記録部３２０で印刷することができる。なお、情報処理装置３０２およびインクジェット式記録装置１００がいずれも動作していない場合は、スイッチＳＷ１およびスイッチＳＷ２はいずれも遮断される。
【００４９】
以上説明したように、この電源切替回路４００を備えたインクジェット式記録装置１００は、インクジェット式記録装置１００の電源スイッチ３３２が投入されているか否かにかかわらず、情報処理装置３０２から、読み書き部３１０を利用できる。従って、インクジェット式記録装置１００が電源３３１から遮断されている場合に、読み書き部３１０を利用するために電源スイッチ３３２を投入してその初期化動作の終了を待たなくてもよい。また、動作電力の供給元を電源切替回路４００が自動的に判断するので、ユーザは、所望の用途に応じて即座に読み書き部３１０を利用できる。
【００５０】
図９は、他の実施例に係るインクジェット式記録装置１００における電源系３５５の構造の一例を模式的に示すブロック図である。なお、他の図と共通の構成要素には同じ参照番号を付して、重複する説明を省く。
【００５１】
同図に示すように、この電源系３５５においては、ＤＣ／ＤＣコンバータ３３６および読み書き部３１０の間と、ＤＣ／ＤＣコンバータ３３６およびＳＯＣ３３８の間とに、それぞれ個別に電源スイッチ３３３、３３５が配置される。従って、読み書き部３１０を使用して読み書き動作をさせる場合には電源スイッチ３３３を、記録部３２０に記録動作をさせる場合には電源スイッチ３３５を個別に投入できる。
【００５２】
なお、図９では、電源スイッチ３３５がＤＣ／ＤＣコンバータ３３６をＳＯＣ３３８に接続するように電源系３５５を形成した。しかしながら、電源スイッチ３３５によって読み書き部３１０およびＳＯＣ３３８の両方にＤＣ／ＤＣコンバータ３３６を接続するように形成してもよい。また、読み書き部３１０の電源スイッチ３３３は、カードスロット１６０にメモリカード５００が挿入された場合に投入されるスイッチでもよい。このような構成により、ユーザから見た場合に、一切の操作なしにカードスロット１６０を利用できる。
【００５３】
また更に、電源スイッチ３３３、３３５を、物理的には単一のスイッチ部材として、操作に応じて電力の供給状態を変更できるようにしてもよい。具体的には、読み書き部３１０、記録部３２０または読み書き部３１０および記録部３２０の両方といった複数の動作状態に対応したポジションを有するロータリースイッチを用いてもよい。また、ボタンスイッチを押し下げる時間の長短、あるいは、複数回の連続押し下げ等の操作方法の違いに応じて動作状態を切り替えるようにしてもよい。
【００５４】
なお、上記のように、読み書き部３１０および記録部３２０を個別に動作させられるようにインクジェット式記録装置１００を形成した場合、記録部３２０における初期化動作および記録動作をバックグラウンドで実行しつつ、読み書き部３１０を使用できるように形成することが好ましい。これにより、記録部３２０の動作の如何にかかわらず、読み書き部３１０を即座に利用できる。
【００５５】
なお、本発明の技術的範囲は上記実施の形態に記載の範囲には限定されない。上記実施の形態に、多様な変更または改良を加え得ることは当業者に明らかである。その様な変更または改良を加えた形態も本発明の技術的範囲に含まれ得ることが、特許請求の範囲の記載から明らかである。
【図面の簡単な説明】
【００５６】
【図１】インクジェット式記録装置１００の外観を示す斜視図である。
【図２】インクジェット式記録装置１００のカバー１１６を開いた状態を示す斜視図である。
【図３】インクジェット式記録装置１００の内部機構２００を抜き出して示す斜視図である。
【図４】インクジェット式記録装置１００における情報系３００の構造の一例を模式的に示すブロック図である。
【図５】インクジェット式記録装置１００における電源系３５０の構造の一例を模式的に示すブロック図である。
【図６】ひとつの実施形態に係る電源切替回路４００の構造を示す回路図である。
【図７】電源切替回路４００のひとつの状態における動作を説明する流れ図Ｆ１００である。
【図８】電源切替回路４００の他の状態における動作を説明する流れ図Ｆ２００である。
【図９】他の実施例に係るインクジェット式記録装置１００における電源系３５５の構造の一例を模式的に示すブロック図である。
【符号の説明】
【００５７】
１００  インクジェット式記録装置、１１０  筐体、１１２  下ケース、１１４  上ケース、１１６  カバー、１１８  操作パネル、１２０  給送部、１２２  ペーパサポート、１３０  排出部、１３２  排出トレイ、１３４  延長部、１４０  記録用紙、１５０  ＵＳＢソケット、１６０  カードスロット、１７０  キャリッジ、１７２  インクカートリッジ、１７４  記録ヘッド、２００  内部機構、２１０  フレーム、２１２  ガイド部、２２０  搬送部、２２２  搬送従動ローラ、２３０  プラテン、２３２  突起、２４２  排出従動ローラ、２４４  排出部フレーム、２５０  制御部、３００  情報系、３０２  情報処理装置、３１０  読み書き部、３１２  駆動回路、３２０  記録部、３３０  電源部、３３１  電源、３３２、３３３、３３５  電源スイッチ、３３４  ＡＣ／ＤＣコンバータ、３３６  ＤＣ／ＤＣコンバータ、３３８  ＳＯＣ、３５０、３５５  電源系、４００  電源切替回路
【図１】
2008030318.tif 000004
【図２】
2008030318.tif 000005
【図３】
2008030318.tif 000006
【図４】
2008030318.tif 000007
【図５】
2008030318.tif 000008
【図６】
2008030318.tif 000009
【図７】
2008030318.tif 000010
【図８】
2008030318.tif 000011
【図９】
2008030318.tif 000012